(57)【特許請求の範囲】
【請求項１】
ハウジングと、
前記ハウジングの上部側に形成される少なくとも一つの半導体光素子と、
前記ハウジングの上部側に配置される光学部材と、
前記光学部材の下部側外面に形成され、前記光学部材の下部側縁から傾斜するように形成された傾斜面を備えた突片を含む第１ユニットと、
前記ハウジングの上部側に形成されて前記第１ユニットを収容し固定する第２ユニットとを含み、
前記突片の傾斜面が前記第２ユニットに形成された切欠部の一端側に接触することを特徴とする光半導体基盤照明装置。
【請求項２】
前記第１ユニットは、前記第２ユニットに挿入され回転することを特徴とする請求項１に記載の光半導体基盤照明装置。
【請求項３】
前記突片は、
前記光学部材の下部側縁から延びる接触片に沿って形成されることを特徴とする請求項１に記載の光半導体基盤照明装置。
【請求項４】
前記突片は、
前記第２ユニットの上端部内側縁に沿って形成された切欠部と対応する位置に配置され、傾斜面を備えた第１片を含むことを特徴とする請求項１に記載の光半導体基盤照明装置。
【請求項５】
前記第１片の長さは、前記ハウジングに形成された前記切欠部の長さより小さいか同じことを特徴とする請求項４に記載の光半導体基盤照明装置。
【請求項６】
前記切欠部の一端側には接着剤が備えられることを特徴とする請求項４に記載の光半導体基盤照明装置。
【請求項７】
前記突片は、
前記第２ユニットの上端部内側縁に沿って形成された切欠部と対応する位置に配置され、前記傾斜面を備えた第１片と、
前記傾斜面の上側端部から前記第２ユニットの下側縁と平行に延びる第２片を含むことを特徴とする請求項１に記載の光半導体基盤照明装置。
【請求項８】
前記第１片と前記第２片との合計の長さは、前記ハウジングに形成された前記切欠部の長さより小さいか同じことを特徴とする請求項７に記載の光半導体基盤照明装置。
【請求項９】
前記切欠部に挿入されて回転した前記第１片に形成された傾斜面は、前記切欠部の一端側に接触することを特徴とする請求項８に記載の光半導体基盤照明装置。
【請求項１０】
前記切欠部の一端側には接着剤が備えられることを特徴とする請求項９に記載の光半導体基盤照明装置。
【請求項１１】
前記第２ユニットは、
前記光学部材の下部側に対応するように前記ハウジングの上部側に陥没した接触溝を含むことを特徴とする請求項１に記載の光半導体基盤照明装置。
【請求項１２】
前記第２ユニットは、
前記接触溝の外側縁に沿って上側に延び、前記第１ユニットの外側と対応する接触壁をさらに含むことを特徴とする請求項１１に記載の光半導体基盤照明装置。
【請求項１３】
前記第２ユニットは、
前記接触壁の上側縁に沿って内側に延びた引掛けフランジと、
前記接触壁の下端部縁に沿って内側に延び、前記第１ユニットの外側に形成された突片が接触する段差をさらに含むことを特徴とする請求項１２に記載の光半導体基盤照明装置。
【請求項１４】
前記第２ユニットは、
前記引掛けフランジの形成方向に沿って切開された切欠部をさらに含むことを特徴とする請求項１３に記載の光半導体基盤照明装置。
【発明の詳細な説明】
【技術分野】
【０００１】
本発明は、光半導体基盤照明装置に関するものであり、より詳しくは、不良率を減らすと共に組立性を向上させ、耐久性に優れた製品の獲得が可能なようにする光半導体基盤照明装置に関するものである。
【背景技術】
【０００２】
エルイーディー又はエルディー等のような光半導体は、白熱灯と蛍光灯に比べて電力消耗量が少ないと共に使用寿命が長く、耐久性にも優れることは勿論、遥かに高い輝度により近年照明用として広く脚光を浴びている部品の一つである。
【０００３】
前述の光半導体を基盤とする照明装置は、ハロゲンランプ又は白熱灯と同一な形状のソケットベースにヒートシンク等が備えられたハウジングを結合し、このようなハウジングに光源としての光半導体をアレイし、ハウジングに光半導体を覆う化学部材が搭載された構造からなるものも売られている。
【０００４】
ここで、このような光半導体基盤の照明装置は、光学部材を多様な方式でハウジングに搭載でき、例えば、ハウジングの上側縁に溝を形成し、この溝に光学部材の下側縁に沿ってリング状の突起を形成して焼嵌め方式で光学部材とハウジングを相互締結できる。（以下「方法１」）
【０００５】
また、光学部材をハウジングに搭載するためには、光学部材の下側縁に沿って接着剤を塗布した後、ハウジングに付着させる方式を採ることもできる。（以下「方法２」）
【０００６】
しかし、方法１は、確実な締結力を得ることができるが、突起と溝間の公差管理が非常に難しいだけでなく、焼嵌めによる相互締結時に圧力が光学部材とハウジングのそれぞれに共に加えられなければならないため、生産性が劣るだけでなく、光学部材とハウジングを含んだ部品の単価の上昇が不可避である。
【０００７】
また、方法２の場合は、光学部材の下側縁に沿って接着剤を塗布する際に浪費する時間が生産性の低下に繋がり得、接着剤の性能が千差万別のため光学部材とハウジングを相互締結した後の締結力維持に困難が伴うことから、不良品の発生に繋がることになる。
【０００８】
特に方法２の場合は、塗布された接着剤は照明装置の発熱によって接着力が低下すると共に、光学部材がハウジングから脱落する問題も発生した。
【先行技術文献】
【特許文献】
【０００９】
【特許文献１】特開２００５−１６６５７８号公報
【特許文献２】特開２００５−２８６２６７号公報
【特許文献３】特開２００６−３１３７１８号公報
【特許文献４】特開２００７−０４８６３８号公報
【特許文献５】韓国特許出願第１０−２００８−０１２３４０１号明細書
【特許文献６】韓国特許出願第１０−２００９−００４４０７２号明細書
【特許文献７】韓国特許出願第１０−２０１０−００６７６１７号明細書
【特許文献８】韓国特許出願第１０−２０１０−００９０９８７号明細書
【特許文献９】韓国特許出願第１０−２０１０−００９０９９０号明細書
【特許文献１０】韓国特許出願第１０−２０１０−０１１３５４２号明細書
【特許文献１１】韓国特許出願第１０−２０１０−０１２０５４８号明細書
【特許文献１２】韓国特許出願第１０−２０１０−０１２０５４９号明細書
【特許文献１３】韓国特許出願第１０−２０１０−０１２３７１７号明細書
【特許文献１４】韓国実用新案出願第２０−２０１０−０００９００９号明細書
【特許文献１５】韓国実用新案出願第２０−２０１１−０００７１０７号明細書
【発明の概要】
【発明が解決しようとする課題】
【００１０】
本発明は、前記のような問題点を改善するために発明されたものであり、不良率を減らすと共に組立性を向上させ、耐久性に優れた製品の獲得が可能なようにする光半導体基盤照明装置を提供するためのものである。
【課題を解決するための手段】
【００１１】
前述のような目的を達成するために、本発明は、ハウジングと、ハウジングの上部側に形成される少なくとも一つの半導体光素子と、ハウジングの上部側に配置される光学部材と、光学部材の下部側外面に形成され、光学部材の下部側縁から傾斜するように形成された傾斜面を備えた突片を含む第１ユニットと、及びハウジングの上部側に形成されて第１ユニットを収容し固定する第２ユニットとを含み、突片の傾斜面が第２ユニットに形成された切欠部の一端側に接触することを特徴とする光半導体基盤照明装置を提供する。
【００１２】
ここで、第１ユニットは、第２ユニットに挿入され回転することを特徴とする。
【００１３】
このとき、突片は光学部材の下部側縁から延びる接触片に沿って形成されることを特徴とする。
【００１４】
そして、突片は第２ユニットの上端部内側縁に沿って形成された切欠部と対応する位置に配置され、傾斜面を備えた第１片を含むことを特徴とする。
【００１５】
そして、第１片の長さは、ハウジングに形成された切欠部の長さより小さいか同じことが好ましい。
【００１６】
また、切欠部の一端側には接着剤が備えられることが好ましい。
【００１７】
一方、突片は第２ユニットの上端部内側縁に沿って形成された切欠部と対応する位置に配置され、傾斜面を備えた第１片と、傾斜面の上側端部から第２ユニットの下側縁と平行に延びる第２片を含むことを特徴とする。
【００１８】
ここで、第１片と第２片との合計の長さは、ハウジングに形成された切欠部の長さより小さいか同じことが好ましい。
【００１９】
このとき、切欠部に挿入されて回転した第１片に形成された傾斜面は、切欠部の一端側に接触することを特徴とする。
【００２０】
また、切欠部の一端側には接着剤が備えられることが好ましい。
【００２１】
一方、突片は第２ユニットの上端部内側縁に沿って形成された切欠部と対応する位置に配置され、傾斜面を備えた第１片と、傾斜面の端部から上側に延びる第３片を含むことを特徴とする。
【００２２】
ここで、第１片と第３片との合計の長さは、ハウジングに形成された切欠部の長さより小さいか同じことが好ましい。
【００２３】
このとき、切欠部に挿入されて回転した第３片の上部一側面は、切欠部の一端側に接触することを特徴とする。
【００２４】
また、切欠部の一端側には接着剤が備えられることが好ましい。
【００２５】
一方、第２ユニットは光学部材の下部側に対応するようにハウジングの上部側に陥没した接触溝を含むことを特徴とする。
【００２６】
ここで、第２ユニットは接触溝の外側縁に沿って上側に延び、第１ユニットの外側と対応する接触壁をさらに含むことを特徴とする。
【００２７】
このとき、第２ユニットは接触壁の上側縁に沿って内側に延びた引掛けフランジと、接触壁の下端部縁に沿って内側に延び、第１ユニットの外側に形成された突片が接触する段差をさらに含むことを特徴とする。
【００２８】
また、第２ユニットは引掛けフランジの形成方向に沿って切開された切欠部をさらに含むことを特徴とする。
【００２９】
さらに、請求の範囲および詳細な説明に記載した「半導体光素子」は、光半導体を利用する発光ダイオードチップ等のようなものを意味する。
【００３０】
このような「半導体光素子」は、前述の発光ダイオードチップを含んだ多様な種類の光半導体を内部に含むパッケージレベルのものを含むと言える。
【発明の効果】
【００３１】
上記のような構成の本発明によると、次のような効果を図ることができる。
【００３２】
先ず、本発明は光学部材の下部側に備えられた第１ユニットがハウジングの上部側に備えられた第２ユニットに挿入され、一定角度回転して相互締結するようにすることにより、組立てが簡便で生産性を向上させることができる。
【００３３】
そして、本発明は第２ユニットの構成要素の一つとしてハウジングに切欠部を形成し、このような切欠部を通じて第１ユニットの構成要素の一つである突片が挿入後回転して締結されるようにするが、切欠部の一側に接着剤を塗布する方式によって光学部材とハウジング相互間の堅固な締結力の維持が可能になり、不良率を減らすと共に耐久性に優れた製品を提供できるようになる。
【００３４】
特に、本発明は光学部材とハウジング相互間の締結において、第１ユニットの突片を第２ユニットの切欠部を通じて挿入して回転させた後、突片が切欠部の一側に引掛け固定されるようにすることにより、既存の方式に比べて不要な工程を減らすことができるのは勿論、ハウジングと光学部材相互間の組立公差もまた最小化できる。
【図面の簡単な説明】
【００３５】
【図１】本発明の一実施例にかかる光半導体基盤照明装置の全体的な構成を示した分解斜視概念図および部分拡大断面概念図である。
【図２】本発明の多様な実施例にかかる光半導体基盤照明装置の全体的な構成を示した分解斜視概念図および部分拡大断面概念図である。
【図３】本発明の多様な実施例にかかる光半導体基盤照明装置の全体的な構成を示した分解斜視概念図および部分拡大断面概念図である。
【図４】本発明の多様な実施例にかかる光半導体基盤照明装置の全体的な構成を示した分解斜視概念図および部分拡大断面概念図である。
【発明を実施するための形態】
【００３６】
以下、添付の図面を参考に本発明の好ましい実施例について説明する。
【００３７】
図１は、本発明の一実施例にかかる光半導体基盤照明装置の全体的な構成を示した分解斜視概念図および部分拡大断面概念図である。
【００３８】
本発明は、図示したように、光学部材５００に備えられた第１ユニット１００が、半導体光素子４００（図４参照）が形成されたハウジング３００に備えられた第２ユニット２００と結合することにより、ハウジング３００と光学部材５００との相互の締結が行われる構造であることが把握できる。
【００３９】
図１において、説明していない符号である３２０はソケットベースを、４１０はＰＣＢをそれぞれ表す。
【００４０】
参考までに、図１を含む各図面上で拡大部分の結合関係を示した図面は、実際には拡大部分の第１ユニット１００と拡大部分の第２ユニット２００との相互間の結合が行われるものではないが、図面理解の便宜上、各図面上でその構造を明確に把握できる部分を拡大して概念図の形態で表した。 
【００４１】
さらに、図１において長さを示した符号で表示したｌ及びｌ’は、図２〜図４には表されていなくても共通して適用する。
【００４２】
ハウジング３００は、ソケットベース３２０の上側に備えられ、放熱ピン３０１が形成され、半導体光素子４００はハウジング３００の上部側に形成されて光源の役割をする。
【００４３】
光学部材５００は透明または半透明の素材で製作されたものであり、ハウジング３００の上側から半導体光素子４００を覆い、半導体光素子４００から照射される光を拡散または集中させ、半導体光素子４００を保護する役割も行う。
【００４４】
第１ユニット１００は、光学部材５００の下部側外面に形成され、光学部材５００の下部側縁から上向きに傾斜するように形成された傾斜面１２１’を備えた突片１２０を含む。
【００４５】
第２ユニット２００は、ハウジング３００の上部側に形成されて第１ユニット１００を収容し固定する役割をする。
【００４６】
ここで、第１ユニット１００と第２ユニット２００とは、それぞれハウジング３００及び光学部材５００の円周方向に沿って等間隔で離隔された地点で放射状に相互の支持がされるようにすることにより、締結力の均一な分散を誘導し、堅固な固定状態の維持ができるようにする。
【００４７】
本発明は、上記のような実施例の適用が可能で、次のような多様な実施例の適用もまた可能なことは勿論である。
【００４８】
第１ユニット１００は、ハウジング３００の上側、つまり第２ユニット２００に挿入され回転して固定されるものであり、挿入時の接触面積を提供するために光学部材５００の下部側縁から延びる接触片１１０をさらに備えることが好ましい。
【００４９】
ここで、接触片１１０には後述の第２ユニット２００との確実な締結状態維持のために、接触片１１０の外周面に沿って突片１２０が等間隔で形成されるようにする。
【００５０】
このとき、突片１２０は図示したように突片１２０を切欠部ｓに挿入し、回転させる際に引っ掛からないようにすることは勿論、傾斜面の面接触状態を利用した引掛け固定が可能なように第１片１２１が形成された構造を適用することもできる。
【００５１】
具体的には、第１片１２１は接触片１１０から突出し、第２ユニット２００の上端部内側縁に沿って等間隔で形成された切欠部ｓと対応する位置に配置される部材である。
【００５２】
第１片１２１は、段差２２４上で移動し、切欠部ｓに挿入されて回転する方向に沿って下向きに傾斜するように形成された傾斜面１２１’を備えている。
【００５３】
ここで、接触片１１０の円周方向に沿った第１片１２１の長さｌ、つまり、第１片１２１の下部側縁がなす長さはハウジング３００の円周方向に沿った切欠部ｓの長さｌ’より小さいか同じことが好ましい。
【００５４】
よって、一点鎖線で表示されている矢印方向のように切欠部ｓに挿入されて回転した第１片１２１に形成された傾斜面１２１’は、切欠部ｓの一端側に接触するものであり、切欠部ｓの一端側には傾斜面１２１’との確実な締結状態の維持のために接着剤が塗布されるようにする。
【００５５】
一方、第２ユニット２００は、前述の通り第１ユニット１００を収容して回転した第１ユニット１００を一地点に固定させるものであり、光学部材５００の下部側、つまり接触片１１０の下端部縁形状に対応するようにハウジング３００の上部側に陥没した接触溝２１０を含む。
【００５６】
ここで、第２ユニット２００は、突片１２０の接触空間を提供するために接触片１１０の外周面と対応し、接触溝２１０の外側縁に沿って上側に延びる接触壁２２０を更に含む。
【００５７】
このとき、第２ユニット２００は突片１２０の移動空間を提供するために接触壁２２０の上側縁に沿って内側に延びた引掛けフランジ２２２を更に含む。
【００５８】
また、第２ユニット２００は、突片１２０の移動空間を提供するために接触壁２２０の下端部縁に沿って内側に延び、第１ユニット１００の外側に等間隔で形成された突片１２０が接触する段差２２４を更に含む。
【００５９】
よって、突片１２０は引掛けフランジ２２２と段差２２４との間で回転できるようになる。
【００６０】
また、第２ユニット２００は、第１ユニット１００、つまり、突片１２０のスムーズな挿入動作が可能なように引掛けフランジ２２２の形成方向に沿って突片１２０の個数に対応して等間隔で切開された切欠部ｓを更に含むことが好ましい。
【００６１】
一方、本発明は図２のように突片１２０を切欠部ｓに挿入し、回転させる際に引っ掛からないようにすることは勿論、傾斜面の面接触状態を利用した引掛け固定が可能なように第２片１２２から傾斜した第１片１２１が延びた構造を適用できる。
【００６２】
具体的には、第１片１２１は、第２片１２２の一側面から接触片１１０の円周方向に沿って下向きに傾斜するように延び、段差２２４上で第２片１２２と共に移動する部材である。
【００６３】
ここで、接触片１１０の円周方向に沿った第２片１２２と第１片１２１との合計の長さｌ、つまり、第１，２片１２１，１２２の下部側縁がなす長さは、ハウジング３００の円周方向に沿った切欠部ｓの長さｌ’より小さいか同じことが好ましい。
【００６４】
よって、一点鎖線で表示された矢印方向のように切欠部ｓに挿入されて回転した第１片１２１に形成された傾斜面１２１’は、切欠部ｓの一端側に接触するものであり、切欠部ｓの一端側には傾斜面１２１’との確実な締結状態維持のために接着剤が塗布されるようにする。
【００６５】
一方、本発明は図３のように、突片１２０を切欠部ｓに挿入し、回転させる際に引っ掛からないように第３片１２３から傾斜した第１片１２１が延びた構造を適用できる。
【００６６】
具体的には、第１片１２１は、第３片１２３の下部一側面から接触片１１０の円周方向に沿って下向きに傾斜するように延び、段差２２４上で第３片１２３と共に移動する部材である。
【００６７】
ここで、接触片１１０の円周方向に沿った第３片１２３と第１片１２１との合計の長さｌ、つまり、第１，３片１２１，１２３の下部側縁がなす長さは、突片１２０が切欠部ｓにスムーズに挿入できるようにハウジング３００の円周方向に沿った切欠部ｓの長さｌ’より小さいか同じことが好ましい。
【００６８】
よって、一点鎖線で表示された矢印方向のように切欠部ｓに挿入されて回転した第３片１２３の上部一側面は、切欠部ｓの一端側に接触し、切欠部ｓの一端側には第３片１２３の上部一側面との確実な締結状態維持のために接着剤が塗布されるようにする。
【００６９】
一方、本発明は、図４のようにバー形状の第４，５片１２４，１２５が延びた突片１２０の構造を適用できることは勿論である。
【００７０】
このとき、突片１２０は第４片１２４と、第４片１２４から延びた第５片１２５とを合わせた構造であることが分かる。
【００７１】
第４片１２４は、接触片１１０から突出し、第２ユニット２００の上端部内側縁に沿って等間隔で形成された切欠部ｓと対応する位置に配置される。
【００７２】
第５片１２５は、第４片１２４の下部一側面から接触片１１０の円周方向に沿って延び、第２ユニット２００の下端部内側縁に沿って形成された段差２２４上で第４片１２４と共に移動する。
【００７３】
ここで、接触片１１０の円周方向に沿った第４片１２４と第５片１２５との合計の長さｌ、つまり、第４，５片１２４，１２５の下部側縁がなす長さは突片１２０が切欠部ｓにスムーズに挿入できるようにハウジング３００の円周方向に沿った切欠部ｓの長さｌ’より小さいか同じことが好ましい。
【００７４】
よって、一点鎖線で表された矢印方向のように切欠部ｓに挿入された回転した第４片１２４の上部一側面は、切欠部ｓの一端側に接触するものであり、切欠部ｓの一端側には第４片１２４の上部一側面との確実な締結状態維持のために接着剤（未図示）が塗布されるようにする。
【００７５】
以上のように、本発明は不良率を減らすと共に組立性を向上させ、耐久性に優れた製品の獲得が可能なようにする光半導体基盤照明装置を提供することを基本的な技術的思想としていることが分かる。
【００７６】
そして、本発明の基本的な技術的思想の範疇内で当該業界の通常の知識を有する者においては、他の多くの変形および応用もまた可能であることは言うまでもない。
【符号の説明】
【００７７】
１００：第１ユニット、２００：第２ユニット、３００：ハウジング、３０１：防熱ピン、４００：半導体光素子、４１０：ＰＣＢ、５００：光学部材
【要約】
【課題】本発明は、不良率を減らすと共に組立性を向上させ、耐久性に優れた製品の獲得が可能なようにする光半導体基盤照明装置を提供すること。
【解決手段】ハウジングの上部側に配置され、半導体光素子を覆う光学部材の下部側外面に形成されて光学部材の下部側縁から上向きに傾斜するように形成された傾斜面を備えた突片を含む第１ユニットと、ハウジングの上部側に形成されて第１ユニットを収容して固定する第２ユニットを含む。 
【選択図】図１【図１】
0005112568.tif 000002
【図２】
0005112568.tif 000003
【図３】
0005112568.tif 000004
【図４】
0005112568.tif 000005